(57)【特許請求の範囲】
【請求項１】
上位装置と通信可能に接続され、自機の設定情報を印刷出力可能な画像形成装置であって、
所定の動作指示を取得する指示取得部と、
前記指示取得部が取得したコマンドを解析する指示解析部と、
各種データを格納するメモリ部と、
前記設定情報を格納する装置情報メモリ部と、
前記指示解析部が前記設定情報のデータ格納指示のコマンドを検出すると、前記装置情報メモリ部から読み出した前記設定情報に基づいて、前記設定情報を印刷出力する印刷データを作成し、前記メモリ部に格納するデータ作成部と、
前記指示解析部が前記設定情報のデータ転送指示のコマンドを検出すると、前記メモリ部に格納された前記印刷データを前記上位装置へ受け渡すデータ受け渡し部と
を備えることを特徴とする画像形成装置。
【請求項２】
前記印刷データは、ＰＤＬ（Ｐａｇｅ  Ｄｅｓｃｒｉｐｔｉｏｎ  Ｌａｎｇｕａｇｅ）形式であることを特徴とする請求項１に記載の画像形成装置。
【請求項３】
前記データ作成部は、
複数種類のＰＤＬ形式の印刷データを作成可能であり、前記データ格納指示のコマンドにおいて指定されたＰＤＬ形式で前記印刷データを作成し、前記メモリ部に格納することを特徴とする請求項２に記載の画像形成装置。
【請求項４】
上位装置と自機の設定情報を印刷出力可能な画像形成装置とが通信可能に接続された情報処理システムであって、
前記上位装置は、
前記設定情報のデータ格納指示のコマンドと前記設定情報のデータ転送指示のコマンドとを、それぞれのタイミングで前記画像形成装置に送信する送信部を備え、
前記画像形成装置は、
前記上位装置から前記コマンドを取得する指示取得部と、
前記指示取得部が取得したコマンドを解析する指示解析部と、
各種データを格納するメモリ部と、
前記設定情報を格納する装置情報メモリ部と、
前記指示解析部が前記設定情報のデータ格納指示のコマンドを検出すると、前記装置情報メモリ部から読み出した前記設定情報に基づいて、前記設定情報を印刷出力する印刷データを作成し、前記メモリ部に格納するデータ作成部と、
前記指示解析部が前記設定情報のデータ転送指示のコマンドを検出すると、前記メモリ部に格納された前記印刷データを前記上位装置へ受け渡すデータ受け渡し部と
を備えることを特徴とする情報処理システム。
【請求項５】
前記印刷データは、ＰＤＬ形式であることを特徴とする請求項４に記載の情報処理システム。
【請求項６】
前記上位装置の送信部は、
前記作成される印刷データのＰＤＬ形式の種類を指定する指定コマンドを含むデータ格納指示のコマンドを送信し、
前記画像形成装置のデータ作成部は、
複数種類のＰＤＬ形式の印刷データを作成可能であり、前記指定コマンドにおいて指定されたＰＤＬ形式で前記印刷データを作成し、前記メモリ部に格納する
ことを特徴とする請求項５に記載の情報処理システム。
【発明の詳細な説明】
【技術分野】
【０００１】
本発明は、ユーザメニュー設定を確認可能な画像形成装置に関する。
【背景技術】
【０００２】
画像形成装置は、装置に設けられた操作パネルから、装置の各種設定が選択できうように「印刷メニュー」、「システム構成メニュー」、「メモリメニュー」等のグループ項目毎に分かれたメニューを備えている。これらのメニューは複数のメニュー項目から構成されており、例えば「印刷メニュー」の場合には、「コピー枚数」、「給紙トレイ」、「解像度」、「編集サイズ」等の項目から構成されている。更に、これらのメニュー項目と、該メニュー項目の現在の設定状況を確認する手段の１つとして、メニュー項目及び該メニュー項目の現在の設定値を、媒体である用紙に印刷する機能を備えている。この印刷は、「メニューマップ印刷」と呼ばれている。メニューマップ印刷は、各メニュー項目の現在の設定状況を確認できるだけでなく、メニューのツリー構造が分かるようにレイアウトして印刷出力するので、メニュー設定の確認に便利である。メニューマップ印刷は、プリンタの操作パネルからユーザが所定の操作を行うことによって、該プリンタから出力される（特許文献１参照）。
【０００３】
かかるメニューマップ印刷は、ユーザが意図した印刷結果が得られない等、各種障害の発生時に、メーカが自社に於いて原因調査する場合に役立つ機能である。即ち、メーカは、各種障害の原因調査を開始するにあたって、先ず最初に、ユーザに対して障害が発生したプリンタのメニューマップ印刷を依頼し、そのメニューマップ印刷結果（用紙媒体）をスキャナ等で読み取って貰い、更に、読み取り結果を電子ファイル化して送付して貰っていた。しかしながら、かかる方法では、メニューマップ印刷結果（用紙媒体）を電子ファイル化するといった煩雑な作業をユーザに強いることになっていた。
【特許文献１】特開２００５−１４５４７号公報
【発明の開示】
【発明が解決しようとする課題】
【０００４】
解決しようとする問題点は、各種障害の発生時に、メーカはユーザに対して、一旦、メニューマップ印刷を実行して貰い、その印刷結果（用紙媒体）を電子ファイル化して送付して貰うことになるので、煩雑な作業をユーザに強いることになっていた点である。
【課題を解決するための手段】
【０００５】
本発明は、上位装置と通信可能に接続され、自機の設定情報を印刷出力可能な画像形成装置であって、所定の動作指示を取得する指示取得部と、上記指示取得部が取得したコマンドを解析する指示解析部と、各種データを格納するメモリ部と、上記設定情報を格納する装置情報メモリ部と、上記指示解析部が前記設定情報のデータ格納指示のコマンドを検出すると、上記装置情報メモリ部から読み出した上記設定情報に基づいて、上記設定情報を印刷出力するための印刷データを作成し、上記メモリ部に格納するデータ作成部と、上記指示解析部が前記設定情報のデータ転送指示のコマンドを検出すると、上記メモリ部に格納された上記印刷データを上記上位装置へ受け渡すデータ受け渡し部とを備えることを主要な特徴とする。
また、別の発明は、上位装置と自機の設定情報を印刷出力可能な画像形成装置とが通信可能に接続された情報処理システムであって、上記上位装置は、上記設定情報のデータ格納指示のコマンドと上記設定情報のデータ転送指示のコマンドとを、それぞれのタイミングで上記画像形成装置に送信する送信部を備え、上記画像形成装置は、上記上位装置から上記コマンドを取得する指示取得部と、上記指示取得部が取得したコマンドを解析する指示解析部と、各種データを格納するメモリ部と、上記設定情報を格納する装置情報メモリ部と、上記指示解析部が上記設定情報のデータ格納指示のコマンドを検出すると、上記装置情報メモリ部から読み出した上記設定情報に基づいて、上記設定情報を印刷出力する印刷データを作成し、上記メモリ部に格納するデータ作成部と、上記指示解析部が上記設定情報のデータ転送指示のコマンドを検出すると、上記メモリ部に格納された上記印刷データを上記上位装置へ受け渡すデータ受け渡し部とを備えることを特徴とする。
【発明の効果】
【０００６】
ネットワークに接続された上位装置は、遠隔地にある画像形成装置からＰＤＬ（ページ記述言語）形式のメニューマップ印刷ジョブを生成取得することが出来るようになるので、メニューマップ印刷結果（用紙媒体）をスキャナで読み取って電子ファイル化し、上位装置に送付させる等の煩雑な作業をユーザに強いることなく、メーカはユーザのメニュー設定をメニューマップ印刷結果（用紙媒体）にて確認することが出来るという効果を得る。
【実施例１】
【０００７】
図１は、実施例１の構成を示す機能ブロック図である。
図に示すように、実施例１に係るプリンタ１０２は、データ受信部１０３と、データ解析部１０４と、データ作成部１０５と、印刷画像生成部１０６と、印刷部１０７と、操作パネル部１０８と、受け渡し部（データ送信部）１０９と、メモリ部１１０と、装置情報メモリ部１１１とを備える。以下に、ホスト装置１０１がプリンタ１０２からユーザメニュー設定を確認する機能を主にして各構成部分の詳細について説明する。
【０００８】
データ受信部１０３は、ホスト装置１０１からネットワーク１００を介して受信した受信データをデータ解析部１０４へ送出する部分である。
図２は、受信データの説明図である。
図に示すように受信データ１は、制御コマンド群２と、印刷データ群（エミュレーションデータ）３とを含んでいる。
【０００９】
図１に戻って、データ解析部１０４は、データ受信部１０３から受信データ１（図２）を受入れて制御コマンド群２（図２）を解析し、印刷データ群３（図２）を、コマンドに応じて印刷画像生成部１０６が有している所定のエミュレーションに振り分ける部分である。
【００１０】
データ作成部１０５は、データ解析部１０４からメニュー印刷要求を受入れて、叉は操作パネル部１０８からのメニュー印刷要求に基づいて、装置情報メモリ部１１１に予め格納されている装置設定情報を読み出してメニューマップ印刷のための印刷ジョブを、印刷出力可能なＰＤＬ（ページ記述言語）で作成してメモリ部１１０へ格納する部分である。
【００１１】
印刷画像生成部１０６は、データ作成部１０５が格納した印刷ジョブをメモリ部１１０から読み出してビットマップに展開し、再度メモリ部１１０へ格納する部分である。この印刷ジョブは印刷画像生成部１０６で印刷出力可能なＰＤＬ（ページ記述言語）で作成されている。
【００１２】
印刷部１０７は、印刷画像生成部１０６からの指示に基づいてメモリ部１１０に格納されているビットマップに展開された印刷データを読み出して印刷出力する部分である。
【００１３】
操作パネル部１０８は、ユーザが印刷の実行（ここではメニューマップ印刷）を指示する部分である。
図３は、操作パネル外観図である。
図に示すように、操作パネル部１０８は、ユーザがメニューマップ印刷の実行を指示するための操作盤２０１を有している。操作盤２０１には表示板２０２とスイッチ２０３が配置されている。ユーザは、スイッチ２０３のＭＥＮＵボタンを押下した後所定の操作に続いて表示板２０２に表れるメニューマップ印刷の実行を指示することになる。
【００１４】
図１に戻って、受け渡し部（データ送信部）１０９は、データ解析部１０４からメニューデータ送信指示信号を受入れると、メモリ部１１０に格納されている、ＰＤＬ（ページ記述言語）形式の印刷データをメモリ部１１０から読み出してネットワーク１００を介してホスト装置１０１へ送出する部分である。
【００１５】
メモリ部１１０は、印刷出力可能なＰＤＬ形式で作成された印刷ジョブや、ビットマップに展開されたビットマップデータを格納する、ＲＡＭなどの揮発性記憶媒体である。
装置情報メモリ部１１１は、装置設定（メニュー）情報を格納する、ＥＥＰＲＯＭなどの不揮発性記憶媒体である。
【００１６】
図４は、実施例１の動作説明図である。
図は、実施例１のプリンタの各構成部分の動作手順を、ホスト装置１０１と一体化して表した図である。図の横軸方向に、ホスト装置１０１、受け渡し部１０９、データ受信部１０３、データ解析部１０４、及びデータ作成部１０５を表し、縦軸方向に動作手順の経過を表している。以下に、ホスト装置１０１がプリンタ１０２からユーザメニュー設定を確認する動作を主にしてプリンタの各構成部分と、ホスト装置１０１の動作手順をステップＳ１−１〜ステップＳ１−１３までステップ順に説明する。
【００１７】
ステップＳ１−１
ホスト装置１０１（図１）は、内部に所有する図示しない送受信プログラムによって、メニューマップ印刷ジョブ格納コマンドを記述したデータファイルを、メモリ格納指示としてプリンタ１０２（図１）へ送出する。
【００１８】
ステップＳ１−２
データ受信部１０３は、ホスト装置１０１（図１）が送出した上記メモリ格納指示をプリンタ１０２（図１）の受信データとして受入れる。更に、該受信データをデータ解析部１０４へ受け渡す。
【００１９】
ステップＳ１−３
データ解析部１０４は、受信データを解析し、メニューマップ印刷ジョブ格納コマンドを検出する。
【００２０】
ステップＳ１−４
データ解析部１０４は、データ作成部１０５にメニューマップ印刷ジョブの作成を指示する。
【００２１】
ステップＳ１−５
データ作成部１０５は、装置情報メモリ部１１１（図１）に格納されている、メニュー設定にあたる装置設定情報を読み出してメニューマップ印刷のためのデータ（メニューマップ印刷ジョブ）を印刷画像生成部１０６（図１）が印刷出力可能なＰＤＬ（ページ記述言語）で作成し、メモリ部１１０（図１）へ格納する。但し、印刷画像生成部１０６（図１）が複数のエミュレーションを搭載している場合には、ユーザが選択した、叉は予め決められたエミュレーションに対応するＰＤＬ（ページ記述言語）で作成する。
図５は、メニューマップ印刷ジョブの構成図である。
図に示すように、メニューマップ印刷ジョブは、主にフォント指定コマンドと、座標指定コマンドと、テキスト文字列の繰り返しで構成されている。
【００２２】
ステップＳ１−６
データ作成部１０５は、メモリ部１１０（図１）へ格納したメニューマップ印刷ジョブの格納アドレスをデータ解析部１０４へ通知する。
【００２３】
ステップＳ１−７
ホスト装置１０１（図１）は、内部に所有する図示しない送受信プログラムによって、メニューマップ印刷ジョブ読み出しコマンドを記述したデータファイルを受け渡し指示としてプリンタ１０２（図１）へ送出する。
【００２４】
ステップＳ１−８
データ受信部１０３は、受け渡し指示を受入れると（以下受信データと記す）、該受信データをデータ解析部１０４へ受け渡す。
【００２５】
ステップＳ１−９
データ解析部１０４は、受信データを解析し、メニューマップ印刷ジョブ読み出しコマンドを検出する。
【００２６】
ステップＳ１−１０
データ解析部１０４は、メニューマップ印刷ジョブ格納コマンドに基づいて、既にデータ作成部１０５から通知されているメニューマップ印刷ジョブの格納アドレスを添えて、受け渡し部１０９に対してホスト装置１０１へメニューマップ印刷ジョブの返送を指示する。
【００２７】
ステップＳ１−１１
受け渡し部１０９は、データ解析部から受入れたアドレス先にあるＰＤＬ（ページ記述言語）で作成されたメニューマップ印刷ジョブを読み出して送信パケットを構成する。
【００２８】
ステップＳ１−１２
受け渡し部１０９は、送信パケットを、ホスト装置１０１（図１）へ返信する。
【００２９】
ステップＳ１−１３
ホスト装置１０１（図１）は、内部に所有する図示しない送受信プログラムによって、プリンタ１０２（図１）から受入れたメニューマップ印刷ジョブを受信してファイルに保存する。
【００３０】
但し、上記ステップＳ１−６でデータ解析部１０４が、格納アドレスを通知された後、受け渡し部１０９に対して格納終了通知の返送を指示し、受け渡し部１０９が、格納終了通知をホスト装置１０１に対して送信するようにし、ホスト装置１０１が格納終了通知を受信した後、読み出しコマンドを送信するようにしても良い。
【００３１】
以上の結果、ホスト装置１０１（図１）がプリンタ１０２（図１）から取得したメニューマップ印刷ジョブ（ファイル）は、プリンタ１０２が搭載する所定のＰＤＬ（ページ記述言語）で記述されているので、プリンタ１０２（図１）と同じＰＤＬ（ページ記述言語）を搭載する別のプリンタ（例えば、自社内にあるプリンタ）を使用して、同じメニューマップ印刷結果（用紙媒体）を得ることが出来る。
【００３２】
尚、プリンタ１０２（図１）に複数のＰＤＬを搭載させ、ホスト装置１０１（図１）に対して複数のＰＤＬの中から所定のＰＤＬを選択させることによって、ホスト装置１０１（図１）は、他のＰＤＬしか有していない自社のプリンタを用いても同じメニューマップ印刷結果（用紙媒体）を得ることが出来る。
【００３３】
叉、ユーザメニュー設定の確認手段としては、上記方法によって得られるメニューマップ印刷結果でなくともプリンタ１０２（図１）がホスト装置１０１（図１）に対して所定のフォーマットでメニュー設定情報を受け渡せば可能であるが、その場合には、ホスト装置１０１（図１）に於いて、上記所定のフォーマットに基づいてプリンタ１０２（図１）から受け渡された情報を解析して視覚表現するための専用プログラムが必要となる。更に、これを用紙媒体に印刷しておきたければ、ＰＤＬジョブを作る必要がある。叉プリンタ１０２（図１）においては、その所定のフォーマットを作成する専用のプログラムが必要になる。但し、本発明によって上記専用プログラムは不必要になった。
【００３４】
叉、メニューマップ印刷結果であれば、メーカとユーザの双方の共通理解が持てるので、例えば障害の原因がメニュー設定にあった場合等には、メーカはユーザとメニューマップ印刷結果に基づいて話すことによって、双方の誤認識を無くすことが出来る。叉、メニューマップ印刷結果は、ＭＥＮＵ表示と同じ構成になっているため、ＭＥＮＵ表示上での確認、変更依頼等の実施が容易になる。
【００３５】
叉、複数のエミュレーションを持つようなプリンタに対しては、メニューマップ印刷ジョブ格納コマンドに、エミュレーション指定コマンドを含ませることによって、適切なエミュレーションにより印刷ジョブを得ることが出来る。その場合には、データ解析部によりエミュレーション指定コマンドが認識され、認識されたエミュレーションに基づいて、データ解析部がデータ作成部に対して指示することになる。データ作成部は、複数のエミュレーションに対応したメニューマップ印刷ジョブを作成することになる。
【００３６】
以上説明したように、本実施例によれば、ネットワークに接続されたメーカのホスト装置から、遠隔地にあるユーザのプリンタのＰＤＬ（ページ記述言語）形式のメニューマップ印刷ジョブを生成取得することが出来るようになる。その結果、メニューマップ印刷結果（用紙媒体）をスキャナで読み取る等して電子ファイル化して送付する、煩雑な作業をユーザに強いることなく、メーカはユーザによるメニュー設定をメニューマップ印刷結果（用紙媒体）にて確認することが出来るという効果を得る。
【実施例２】
【００３７】
図６は、実施例２の構成を示す機能ブロック図である。
図に示すように、実施例２に係るプリンタ２００は、データ受信部１０３と、データ解析部１０４と、データ作成部１０５と、印刷画像生成部１０６と、印刷部１０７と、操作パネル部７０８と、メール送信部（データ送信部）７０９と、メモリ部１１０と、装置情報メモリ部１１１とを備える。以下に、実施例１との相違部分のみについて説明する。実施例１と同一の部分については実施例１と同一の符号を付して説明を省略する。
【００３８】
操作パネル部７０８は、ユーザが印刷の実行（ここではメニューマップ印刷）を指示する部分である。特に、本実施例では、メニューマップ印刷ジョブを印刷出力するか、電子メール送信するかをユーザに選択させる部分である。即ち、ユーザによるメニューマップ印刷実行を検出すると、表示板２０２（図３）へ所定の表示をし、印刷出力を求める場合にはＳＥＬＥＣＴｋｅｙ２０３（図３）の押下をもとめ、電子メール送信を求める場合にはＣＡＮＣＥＬｋｅｙの押下を求める。更に、その選択結果に基づいてデータ作成部１０５に対してメニューマップ印刷ジョブの作成を指示する部分でもある。
【００３９】
メール送信部７０９は、操作パネル部７０８を介して、ユーザから電子メール送信が求められると、メモリ部１１０に格納されている、ＰＤＬで作成されたメニューマップ印刷ジョブを添付ファイル形式でメールサーバ６０１を介して、所定のＥ−Ｍａｉｌアドレスへ電子メール送信を行う部分である。
【００４０】
図７は、実施例２の動作説明図である。
図は、実施例２のプリンタの各構成部分の動作手順を、メールサーバ６０１と一体化して表した図である。図の横軸方向に、メールサーバ６０１、メール送信部７０９、操作パネル部７０８、データ作成部１０５、印刷画像生成部１０６を表し、縦軸方向に動作手順の経過を表している。以下に、ユーザによって操作パネル部７０８に入力された、印刷出力を求める場合と電子メール送信を求める場合の両方についてプリンタ２００からメニューマップ印刷ジョブが送出される動作手順をステップＳ２−１〜ステップＳ２−９までステップ順に説明する。
【００４１】
ステップＳ２−１
操作パネル部７０８は、ユーザによる操作盤２０１（図３）の操作によってメニューマップ印刷の実行を検出する。
【００４２】
ステップＳ２−２
操作パネル部７０８は、ユーザに対して、表示板２０２（図３）を介して、印刷出力を求める場合にはＳＥＬＥＣＴｋｅｙ２０３（図３）の押下をもとめ、電子メール送信を求める場合にはＣＡＮＣＥＬｋｅｙの押下を求め、その選択を待って待機する。
【００４３】
ステップＳ２−３
操作パネル部７０８は、ユーザによって、上記何れかが選択されるとデータ作成部１０５にメニューマップ印刷ジョブの作成を指示する。
【００４４】
ステップＳ２−４
データ作成部１０５は、装置情報メモリ部１１１（図６）に格納されている、メニュー設定にあたる装置設定情報を読み出してメニューマップ印刷のための印刷データ（メニューマップ印刷ジョブ）を印刷画像生成部１０６（図６）が印刷出力可能なＰＤＬ（ページ記述言語）で作成し、メモリ部１１０（図６）へ格納する。但し、印刷画像生成部１０６（図６）が複数のエミュレーションを搭載している場合には、ユーザが選択した、叉は予め決められたエミュレーションに対応するＰＤＬ（ページ記述言語）で作成する。
メニューマップ印刷ジョブは、図５に示すように、主にフォント指定コマンドと、座標指定コマンドと、テキスト文字列の繰り返しで構成されている。
【００４５】
ステップＳ２−５
データ作成部１０５は、メモリ部１１０（図６）へ格納したメニューマップ印刷ジョブの格納アドレスを操作パネル部７０８へ通知する。
【００４６】
ステップＳ２−６
操作パネル部７０８は、上記ユーザ選択によって電子メール送信が選択されている場合には、データ作成部１０５によって既に通知されているメニューマップ印刷ジョブの格納アドレスを添えてメール送信部７０９へメニューマップ印刷ジョブを添付ファイルとしてホスト装置１０１（図６）へメール送信することを指示する。
【００４７】
ステップＳ２−７
メール送信部７０９は、メモリ部１１０（図６）に格納されているメニューマップ印刷ジョブを添付ファイルとしてホスト装置１０１（図６）へのメールを作成する。
【００４８】
ステップＳ２−８
メール送信部７０９は、作成したメールをメールサーバ６０１へ送信する。
【００４９】
ステップＳ２−９
操作パネル部７０８は、上記ユーザ選択によって印刷出力が選択されている場合には、データ作成部１０５によって既に通知されているメニューマップ印刷ジョブの格納アドレスを添えて印刷画像生成部へメニューマップ印刷ジョブの画像生成を指示して従来のメニューマップ印刷動作を実行させる。
図８は、メニュマップ印刷結果の説明図である。
この図は、上記図５に示すメニューマップ印刷ジョブに基づいて印刷部１０７（図６）が用紙媒体に印刷出力した結果を表している。メニューの設定項目が多い場合には複数枚になることもある。
【００５０】
上記説明に於いて、表示板２０２（図３）へ印刷出力を求める場合にはＳＥＬＥＣＴｋｅｙ２０３（図３）の押下をもとめ、電子メール送信を求める場合にはＣＡＮＣＥＬｋｅｙの押下を求めることとしたが、特に、電子メール送信が、誤って選択される可能性が多くある。かかる不都合を排除するために電子メール送信の場合にはＳＥＬＥＣＴｋｅｙ２０３（図３）とＣＡＮＣＥＬｋｅｙとを同時に押下させることとしても良い。
【００５１】
電子メールの送信アドレスとしては、予めプリンタ装置に設定されている場合が多い。但し、ユーザ選択によって「電子メール送信」が選択された後に「送信先メールアドレス」を問い合わせ、ユーザに入力させることとしても良い。
【００５２】
以上説明したように、本実施例によれば、ユーザが電子メール送信を選択するとネットワークに接続されたメーカのメールサーバを介してメーカのホスト装置にユーザプリンタのＰＤＬ形式のメニューマップ印刷ジョブが電子メールで添付ファイル送付される。従って、メーカは、電子メールの添付ファイルをメーカ所有のプリンタへ送信することによって、ユーザプリンタで印刷するのと同じメニューマップ印刷結果（用紙媒体）を得ることが出来る。その結果、メニューマップ印刷結果（用紙媒体）をスキャナで読み取る等して電子ファイル化して送付するといった煩雑な作業をユーザに強いることなく、メーカは、ユーザメニュー設定をメニューマップ印刷結果（用紙媒体）にて確認することが出来るという効果を得る。
【００５３】
叉、実施例１では、ユーザのネットワーク環境がファイアウォールによってアクセスを遮断する場合には適用できないが、実施例２では、電子メールを使用するため、ファイアウォールによるアクセス障害はないので、ユーザプリンタのメニューマップ印刷結果を得ることが出来る。叉、実施例１のような送受信プログラムも必要ないので、メールデータからダイレクト印刷可能なプリンタである場合には、メール送信先を、例えばメーカプリンタに設定することによって、ＰＣを介さずにダイレクトにプリントＭＥＮＵを得ることが出来る。
【産業上の利用可能性】
【００５４】
以上の説明では、本発明をプリンタ適用した場合について説明したが、本発明は、この例に限定されるものではない。即ち、ファクシミリ装置や、複写機などにも適用可能である。
【図面の簡単な説明】
【００５５】
【図１】実施例１の構成を示す機能ブロック図である。
【図２】受信データの説明図である。
【図３】操作パネル外観図である。
【図４】実施例１の動作説明図である。
【図５】メニューマップ印刷ジョブの構成図である。
【図６】実施例２の構成を示す機能ブロック図である。
【図７】実施例２の動作説明図である。
【図８】メニュマップ印刷結果の説明図である。
【符号の説明】
【００５６】
１００    ネットワーク
１０１    ホスト装置
１０２    プリンタ
１０３    データ受信部
１０４    データ解析部
１０５    データ作成部
１０６    印刷画像生成部
１０７    印刷部
１０８    操作パネル部
１０９    受け渡し部（データ送信部）
１１０    メモリ部
１１１    装置情報メモリ部
【図１】
0004648147.tif 000002
【図２】
0004648147.tif 000003
【図３】
0004648147.tif 000004
【図４】
0004648147.tif 000005
【図５】
0004648147.tif 000006
【図６】
0004648147.tif 000007
【図７】
0004648147.tif 000008
【図８】
0004648147.tif 000009